【手続補正書】
【提出日】平成28年8月17日(2016.8.17)
【手続補正１】
【補正対象書類名】明細書
【補正対象項目名】００３４
【補正方法】変更
【補正の内容】
【００３４】
本発明を特定の実施形態を参照して説明してきたが、これらの実施形態は、本発明の原理および用途の単なる例示にすぎないことを理解されたい。従って、例示的実施形態に対して多くの修正がなされてもよいこと、および添付の請求項に規定されている本発明の精神および範囲から逸脱することなく、他の構成が考案されてもよいことを理解されたい。
[実施の形態]
[実施形態１]
血液ポンプであって、
剛性ハウジング、前記ハウジング内に延在する流路、および血液を前記流路に沿って推進するための前記ハウジング内の少なくとも１つの可動要素を有している、血液を送り出すための移植可能なポンプと、
前記ポンプを通る血液の流量を測定するためのセンサと、
を備えており、
前記センサは、前記ポンプの前記ハウジングに取り付けられている、
血液ポンプ。
[実施形態２]
前記ハウジングは、前記流路を少なくとも部分的に画定する内面および空洞を画定する外面を有する第１のハウジング要素を備え、前記センサは、前記空洞内に配置されている、実施形態１に記載の血液ポンプ。
[実施形態３]
前記センサは、少なくとも２つの超音波トランスデューサを備えている、実施形態２に記載の血液ポンプ。
[実施形態４]
前記流路は、上流方向および下流方向に延在する流路軸に沿って延在しており、前記第１のハウジング要素は、前記流路軸に対して斜角で下流側を向く第１のプラットホームの表面と、前記流路軸に対して斜角で上流側を向く第２のプラットホームの表面を画定しており、前記超音波トランスデューサは、前記第１のプラットホームに取り付けられた第１のトランスデューサおよび前記第２のプラットホームに取り付けられた第２のトランスデューサを備えている、実施形態３に記載の血液ポンプ。
[実施形態５]
前記プラットホームの各々は、前記流路軸に対して実質的に４５°の傾斜を有している、実施形態４に記載の血液ポンプ。
[実施形態６]
前記超音波トランスデューサは、接着剤によって前記プラットホームに取り付けられている、実施形態４に記載の血液ポンプ。
[実施形態７]
前記ハウジングは、第２のハウジング要素を備えており、前記第１および第２のハウジング要素は、協働して前記流路の少なくとも一部を画定しており、前記トランスデューサは、前記トランスデューサの１つから放出された超音波が、前記流路を通って前記第２のハウジング要素に向かって進み、前記第２のハウジング要素から反射し、前記トランスデューサの他の１つに向かって進むように、配置されている、実施形態４に記載の血液ポンプ。
[実施形態８]
前記ハウジングは、前記第１のハウジング要素内の前記空洞を覆うカバーをさらに備えている、実施形態２に記載の血液ポンプ。
[実施形態９]
前記空洞内に配置され、前記センサに接続された電気回路をさらに備えている、実施形態２に記載の血液ポンプ。
[実施形態１０]
前記流路は、流入端および流出端を有しており、前記センサは、前記流路の前記流入端に隣接して取り付けられている、実施形態１に記載の血液ポンプ。
[実施形態１１]
前記流路は、流入端および流出端を有しており、前記センサは、前記流路の前記流出端に隣接して取り付けられている、実施形態１に記載の血液ポンプ。  
[実施形態１２]
前記ポンプは、回転ポンプである、実施形態７に記載の血液ポンプ。
[実施形態１３]
前記ポンプは、前記可動要素を動かすための１つまたは複数の電気要素を備えており、  前記装置は、前記電気要素に電力を供給するように機能する外部制御ユニットと、前記ポンプおよび前記少なくとも１つの超音波センサを前記外部制御ユニットに接続するための駆動ラインと、をさらに備えている、実施形態１に記載の血液ポンプ。
[実施形態１４]
前記センサは、前記駆動ラインを通って、前記外部制御ユニットに接続されている、実施形態１３に記載の血液ポンプ。
[実施形態１５]
前記駆動ラインは、前記ポンプと前記外部制御ユニットとの間の唯一の接続部である、実施形態１４に記載の血液ポンプ。
[実施形態１6 ]
血液ポンプであって、
剛性ハウジング、前記ハウジング内で上流方向および下流方向に延在する流路、および血液を前記流路に沿って推進するための前記ハウジング内の少なくとも１つの可動要素を有している、血液を送り出すための移植可能なポンプと、
前記ハウジング内の第１のハウジング要素および第２のハウジング要素であって、それぞれ第１の内面および第２の内面を有し、前記第１の内面および第２の内面は互いに対向し且つ協働して前記流路の少なくとも一部を前記第１の内面および前記第２の内面間で画定しており、前記第１のハウジング要素は、前記流路の外部の空洞を画定する外面を有している、第１のハウジング要素および第２のハウジング要素と、
を備えており、
前記第１のハウジング要素は、流路軸に対して斜角で下流側を向く第１のプラットホームの表面と、前記流路軸に対して斜角で上流側を向く第２のプラットホームの表面を画定しており、前記第１および第２のプラットホームの表面は、前記流路の前記一部上に位置しており、前記第１および第２のプラットホームの表面は前記空洞内にあり、かつ、それぞれ前記第１の内面の第１および第２の部分から延在しており、同じ方向を向き、前記第２の内面に対向しており、
第１の流量センサが、前記流路軸に対して斜角で前記第１のプラットホームの表面に取り付けられており、第２の流量センサが、前記流路軸に対して斜角で前記第２のプラットホームの表面に取り付けられている、
血液ポンプ。
【手続補正２】
【補正対象書類名】特許請求の範囲
【補正対象項目名】全文
【補正方法】変更
【補正の内容】
【特許請求の範囲】
【請求項１】
血液ポンプであって、
剛性ハウジング、前記ハウジング内で上流方向および下流方向に延在する流路、および血液を前記流路に沿って推進するための前記ハウジング内の少なくとも１つの可動要素を有している、血液を送り出すための移植可能なポンプと、
前記ハウジング内の第１のハウジング要素および第２のハウジング要素であって、それぞれ第１の内面および第２の内面を有し、前記第１の内面および第２の内面は互いに対向し且つ協働して前記流路の少なくとも一部を前記第１の内面および前記第２の内面間で画定しており、前記第１のハウジング要素は、前記流路の外部の空洞を画定する外面を有している、第１のハウジング要素および第２のハウジング要素と、
を備えており、
前記第１のハウジング要素は、流路軸に対して斜角で下流側を向く第１のプラットホームの表面と、前記流路軸に対して斜角で上流側を向く第２のプラットホームの表面を画定しており、前記第１および第２のプラットホームの表面は、前記流路の前記一部上に位置しており、前記第１および第２のプラットホームの表面は前記空洞内にあり、かつ、それぞれ前記第１の内面の第１および第２の部分から延在しており、同じ方向を向き、前記第２の内面に対向しており、
第１の流量センサが、前記流路軸に対して斜角で前記第１のプラットホームの表面に取り付けられており、第２の流量センサが、前記流路軸に対して斜角で前記第２のプラットホームの表面に取り付けられている、
血液ポンプ。
【請求項２】
前記センサは、少なくとも２つの超音波トランスデューサを備えている、請求項１に記載の血液ポンプ。
【請求項３】
前記プラットホームの各々は、前記流路軸に対して実質的に４５°の傾斜を有している、請求項１に記載の血液ポンプ。
【請求項４】
前記超音波トランスデューサは、前記流路軸に対して実質的に４５°の傾斜で、接着剤によって前記プラットホームに取り付けられている、請求項２に記載の血液ポンプ。
【請求項５】
前記トランスデューサは、第１のトランスデューサから放出された超音波信号が、前記流路を通って前記第２のハウジング要素に向かって進み、前記第２のハウジング要素から反射し、第２のトランスデューサに受け入れられるように、配置されており、前記超音波信号は、前記流路軸に対して傾斜した角度で放出され且つ受け入れられている、請求項２に記載の血液ポンプ。
【請求項６】
前記ハウジングは、前記第１のハウジング要素内の前記空洞を覆うカバーをさらに備えている、請求項１に記載の血液ポンプ。
【請求項７】
前記空洞内に配置され、前記センサに接続された電気回路をさらに備えている、請求項１に記載の血液ポンプ。
【請求項８】
前記センサは、前記流路の流入端に隣接して取り付けられている、請求項１に記載の血液ポンプ。
【請求項９】
前記センサは、前記流路の前記一部の流出端に隣接して取り付けられている、請求項１に記載の血液ポンプ。
【請求項１０】
前記ポンプは、回転ポンプである、請求項１に記載の血液ポンプ。
【請求項１１】
前記ポンプは、前記可動要素を動かすための１つまたは複数の電気要素を備えており、  前記血液ポンプは、前記電気要素に電力を供給するように機能する外部制御ユニットと、前記ポンプおよび少なくとも１つの超音波センサを前記外部制御ユニットに接続するための駆動ラインと、をさらに備えている、請求項１に記載の血液ポンプ。
【請求項１２】
前記センサは、前記駆動ラインを通って、前記外部制御ユニットに接続されている、請求項１１に記載の血液ポンプ。
【請求項１３】
前記駆動ラインは、前記ポンプと前記外部制御ユニットとの間の唯一の接続部である、請求項１２に記載の血液ポンプ。